(57)【要約】【課題】放送による伝送でスクランブルされたコンテンツに対し、スクランブルを解除するための情報を当該コンテンツに多重された状態でも、別途の経路で入手しても、同様に取り扱うことができる限定再生コンテンツ再生方法、装置およびプログラムを提供する。【解決手段】映像・音声等のコンテンツストリームにスクランブルを施し、このスクランブルを解除するためのデスクランブル鍵を伝送する第一スクランブル関連情報およびこの第一スクランブル関連情報を復号するための復号鍵を伝送する第二スクランブル関連情報を多重してスクランブル化コンテンツストリームを再生する限定再生コンテンツ再生装置１であって、ＥＭＭ信号分離部３と、記録処理部５と、デスクランブル部１７と、映像・音声デコード部１９と、を備えた。【選択図】　　　図１
2004048268.tif 000002
【特許請求の範囲】
【請求項１】
映像・音声等のコンテンツストリームにスクランブルを施し、このスクランブルを解除するためのデスクランブル鍵を伝送する第一スクランブル関連情報およびこの第一スクランブル関連情報を復号するための復号鍵を伝送する第二スクランブル関連情報を多重してスクランブル化コンテンツストリームを生成して送出し、前記スクランブル化コンテンツストリームを受信し蓄積した後に、再生時にスクランブルを限定して解除し前記コンテンツストリームを復元する限定再生コンテンツ再生方法において、
受信した前記スクランブル化コンテンツストリームから前記第二スクランブル関連情報を分離する分離ステップと、
この分離ステップにおいて分離されたスクランブル化コンテンツストリームおよび第二スクランブル関連情報を記録装置に記録する記録ステップと、
この記録ステップにおいて、記録装置に記録された第二スクランブル関連情報を読み出し、前記復号鍵を得る復号鍵取得ステップと、
前記記録装置に記録された前記スクランブル化コンテンツストリームを再生し、前記復号鍵を用いて、前記第一スクランブル関連情報を復号してデスクランブル鍵を得て、前記スクランブル化コンテンツストリームのスクランブルを解除して、映像・音声のコンテンツストリームを復元するコンテンツストリーム復元ステップと、
を含むことを特徴とする限定再生コンテンツ再生方法。
【請求項２】
映像・音声等のコンテンツストリームにスクランブルを施し、このスクランブルを解除するためのデスクランブル鍵を伝送する第一スクランブル関連情報およびこの第一スクランブル関連情報を復号するための復号鍵を伝送する第二スクランブル関連情報を多重してスクランブル化コンテンツストリームを生成して送出し、前記スクランブル化コンテンツストリームを受信し蓄積した後に、再生時にスクランブルを限定して解除し前記コンテンツストリームを復元する限定再生コンテンツ再生システムにおいて、
受信した前記スクランブル化コンテンツストリームから前記第二スクランブル関連情報を分離する分離手段と、
この分離手段で分離されたスクランブル化コンテンツストリームおよび第二スクランブル関連情報を記録する記録手段と、
この記録手段に記録された第二スクランブル関連情報を読み出し、前記復号鍵を得る復号鍵取得手段と、
前記記録手段に記録された前記スクランブル化コンテンツストリームを再生し、前記復号鍵を用いて、前記第一スクランブル関連情報を復号してデスクランブル鍵を得て、前記スクランブル化コンテンツストリームのスクランブルを解除して、映像・音声のコンテンツストリームを復元するコンテンツストリーム復元手段と、
を備えることを特徴とする限定再生コンテンツ再生装置。
【請求項３】
前記スクランブル化コンテンツストリームおよび前記第二スクランブル関連情報を前記記録手段に記録する際に、前記スクランブル化コンテンツストリームと前記第二スクランブル関連情報とを別のファイルにすることを特徴とする請求項２に記載の限定再生コンテンツ再生装置。
【請求項４】
前記スクランブル化コンテンツストリームおよび前記第二スクランブル関連情報を前記記録手段に記録する際に、前記第二スクランブル関連情報を前記スクランブル化コンテンツストリームのヘッダ領域とすることを特徴とする請求項２に記載の限定再生コンテンツ再生装置。
【請求項５】
映像・音声等のコンテンツストリームにスクランブルを施し、このスクランブルを解除するためのデスクランブル鍵を伝送する第一スクランブル関連情報およびこの第一スクランブル関連情報を復号するための復号鍵を伝送する第二スクランブル関連情報を多重して送信側で送出されたスクランブル化コンテンツを受信し蓄積した後に、再生時にスクランブルを限定して解除し前記コンテンツストリームを復元する装置を、
受信した前記スクランブル化コンテンツストリームから前記第二スクランブル関連情報を分離する分離手段、
この分離手段で分離されたスクランブル化コンテンツストリームおよび第二スクランブル関連情報を記録する記録手段、
この記録手段に記録された第二スクランブル関連情報を読み出し、前記復号鍵を得る復号鍵取得手段、
前記記録手段に記録された前記スクランブル化コンテンツストリームを再生し、前記復号鍵を用いて、前記第一スクランブル関連情報を復号してデスクランブル鍵を得て、前記スクランブル化コンテンツストリームのスクランブルを解除して、映像・音声のコンテンツストリームを復元するコンテンツストリーム復元手段、
として機能させることを特徴とする限定再生コンテンツ再生プログラム。
【発明の詳細な説明】
【０００１】
【発明の属する技術分野】
本発明は、限定再生システム、或いは、権利管理保護システムを備えたサーバー型の放送システムにおいて、コンテンツを限定して再生させる限定再生コンテンツ再生方法、限定再生コンテンツ再生装置、および限定再生コンテンツ再生プログラムに関する。
【０００２】
【従来の技術】
送信側の放送事業者（情報提供者、放送局）から、放送波を通じて番組（以下、コンテンツとする）の送信（伝送）を行い、このコンテンツを受信する受信側の受信装置（ホームサーバ等）に蓄積しておく、いわゆるサーバー型の放送においては、次のような（１）〜（２）の方法が提案されている。
【０００３】
（１）受信側にてコンテンツを、ストリーム形式のままリアルタイムに再生可能なＴＳ（トランスポートストリーム）で伝送する方法がある（詳しくは、ＩＳＯ／ＩＥＣ　１３８１８−１　ＡＲＩＢ　ＳＴＤ−Ｂ３２を参照）。
（２）再生のための時刻情報をコンテンツに付与してリアルタイム再生可能な状態にしたＴＳ（タイムスタンプ付ＴＳ）のファイルをデータカルーセル方式で伝送する方法がある（詳しくは、ＡＲＩＢ　ＳＴＤ−Ｂ２４の第２編を参照）。
【０００４】
また、インターネット等の通信回線網を通じて番組の送信（伝送）を行なう場合においては、次のような（３）〜（４）の方法が考えられている。
（３）ＴＳのまま、或いは、再生のための時刻情報を付与してリアルタイム再生可能状態にしたＴＳを、通信（インターネットプロトコル上）でストリーミング伝送する方法がある。例えば、ＴＳ／ＴＣＰ／ＩＰなどが挙げられる。
（４）再生のための時刻情報を付与してリアルタイム再生可能な状態にしたＴＳ（タイムスタンプ付ＴＳ）のファイルを、通信により（インターネットプロトコル上）ダウンロード伝送する方法がある。例えば、ＨＴＴＰ／ＴＣＰ／ＩＰ、ＦＴＰ／ＴＣＰ／ＩＰなどが挙げられる。
【０００５】
そして、それぞれの方法は、現在のところ、提供するサービスに応じて使い分けられている。すなわち、それぞれ独立したサービスモデルに基づいて検討されているため、コンテンツの蓄積再生方法やコンテンツの権利管理保護方式（ＲＭＰシステム）や限定受信システム（ＣＡシステム）等が、それぞれのサービスモデルに対して独立した技術として存在している。
【０００６】
【発明が解決しようとする課題】
しかしながら、前記した各種（１）〜（４）の伝送方法は、これまで独立したサービス或いは独立した技術として扱われてきたため、特に放送による伝送と通信（例えば、インターネット）による伝送とでは、一連の動作（受信、蓄積、再生）について共通性が乏しく、それぞれ独立した技術による受信装置が必要である。すなわち、放送と通信（例えば、インターネット）によるサービスを同時に扱う場合には、受信してから再生するまで、それぞれのサービスを区別して別々の技術を適用して扱う必要があった。
【０００７】
放送における代表的な伝送放送（１）を基準に考えると、送信側からコンテンツを送信する際に、当該コンテンツにスクランブルが施されている場合、このスクランブルを解除するためのデスクランブル鍵を含むスクランブル関連情報が暗号化されており、この暗号化を解除するための復号鍵（コンテンツ鍵またはワーク鍵）に関するスクランブル関連情報は、そのまま当該コンテンツと共に記録されるのが一般的であると類推される。
【０００８】
しかし、コンテンツの蓄積再生方法やコンテンツの権利管理保護方式（ＲＭＰシステム）や限定受信システム（ＣＡシステム）等が、それぞれのサービスモデルに対して独立した技術として存在しているため、それぞれのサービスモデルを統括的に限定再生させることは行われていない。また、一般的に類推される前記の方法についても、（２）〜（４）の各伝送方式と共通的に扱うことには適していない。
【０００９】
そして、サービスを提供している送信側の放送事業者（情報提供者、放送局）の観点から、これらの伝送方法を併用したサービスの実現が望まれており、受信側の観点からも、（１）および他の方式によるサービスを共通に扱える方法、装置が望まれている。
【００１０】
つまり、放送における伝送（例えば、放送におけるスクランブル伝送方式・限定再生方式）をベースにしながら、通信による伝送を出来るだけ一緒に扱えるような受信機の実現が望まれており、特に、放送における伝送に関して、送信側でスクランブルしてから伝送したコンテンツを受信側で蓄積して限定再生する際に、スクランブル関連情報を、後から通信よる伝送によって得ることに適した受信機の実現が望まれている。
【００１１】
そこで、本発明の目的は前記した従来の技術が有する課題を解消し、放送による伝送でスクランブルされたコンテンツに対し、スクランブルを解除するための情報を当該コンテンツに多重された状態でも、別途の経路で入手しても、同様に取り扱うことができる限定再生コンテンツ再生方法、限定再生コンテンツ再生装置および限定再生コンテンツ再生プログラムを提供することにある。
【００１２】
【課題を解決するための手段】
本発明は、前記した目的を達成するため、以下に示す構成とした。
請求項１記載の限定再生コンテンツ再生方法は、映像・音声等のコンテンツストリームにスクランブルを施し、このスクランブルを解除するためのデスクランブル鍵を伝送する第一スクランブル関連情報およびこの第一スクランブル関連情報を復号するための復号鍵を伝送する第二スクランブル関連情報を多重してスクランブル化コンテンツストリームを生成して送出し、前記スクランブル化コンテンツストリームを受信し蓄積した後に、再生時にスクランブルを限定して解除し前記コンテンツストリームを復元する限定再生コンテンツ再生方法において、受信した前記スクランブル化コンテンツストリームから前記第二スクランブル関連情報を分離する分離ステップと、この分離ステップにおいて分離されたスクランブル化コンテンツストリームおよび第二スクランブル関連情報を記録装置に記録する記録ステップと、この記録ステップにおいて、記録装置に記録された第二スクランブル関連情報を読み出し、前記復号鍵を得る復号鍵取得ステップと、前記記録装置に記録された前記スクランブル化コンテンツストリームを再生し、前記復号鍵を用いて、前記第一スクランブル関連情報を復号してデスクランブル鍵を得て、前記スクランブル化コンテンツストリームのスクランブルを解除して、映像・音声のコンテンツストリームを復元するコンテンツストリーム復元ステップと、を含むことを特徴とする。
【００１３】
すなわち、まず、分離ステップにおいて、受信したスクランブル化コンテンツストリームから、第一スクランブル関連情報を復号するための復号鍵を含んだ第二スクランブル関連情報が分離される。そして、記録ステップにおいて、第二スクランブル関連情報が分離されたスクランブル化コンテンツストリームと、第二スクランブル関連情報とが記録装置に記録される。その後、復号鍵取得ステップにおいて、記録装置に記録されている第二スクランブル関連情報が読み出され、復号鍵が得られる。この復号鍵は、一般的に、ワーク鍵（ｋｗ）、コンテンツ鍵（ｋｃ）と呼ばれるものであって、コンテンツストリームをスクランブルする際に利用されるスクランブル鍵よりも、長時間保持されるものである。続いて、コンテンツストリーム復元ステップにおいて、復号鍵によって第一スクランブル関連情報が復号され、デスクランブル鍵が得られ、コンテンツストリームが復元される。
【００１４】
かかる構成によれば、記録手段に記録される際に、スクランブル化コンテンツストリームと第二スクランブル関連情報が分離された状態で記録されるので、ストリーム伝送や、データカルーセル伝送や、ストリーミング伝送や、ダウンロード伝送によるコンテンツのサービスを共通に扱うことができる。
【００１５】
ここで、第二スクランブル関連情報としては、例えばＥＭＭ（Ｅｎｔｉｔｌｅｍｅｎｔ　Ｍａｎａｇｅｍｅｎｔ　Ｍｅｓｓａｇｅ）等が挙げられ、またコンテンツ鍵を用いる場合には、コンテンツ鍵配信用ＥＣＭが挙げられる。なお、この第二スクランブル関連情報は、分離された後、記録装置にそのまま記録されてもいいし、一旦復号した後、再暗号化して記録装置に記録してもよい。この場合、第二スクランブル関連情報の復号、再暗号化は、通常ＩＣカード等のセキュリティモジュール内部で処理される。なお、第一スクランブル関連情報としては、例えばＥＣＭ（Ｅｎｔｉｔｌｅｍｅｎｔ　Ｃｏｎｔｒｏｌ　Ｍｅｓｓａｇｅ）等が挙げられる。
【００１６】
請求項２記載の限定再生コンテンツ再生装置は、映像・音声等のコンテンツストリームにスクランブルを施し、このスクランブルを解除するためのデスクランブル鍵を伝送する第一スクランブル関連情報およびこの第一スクランブル関連情報を復号するための復号鍵を伝送する第二スクランブル関連情報を多重してスクランブル化コンテンツストリームを生成して送出し、前記スクランブル化コンテンツストリームを受信し蓄積した後に、再生時にスクランブルを限定して解除し前記コンテンツストリームを復元する限定再生コンテンツ再生システムにおいて、受信した前記スクランブル化コンテンツストリームから前記第二スクランブル関連情報を分離する分離手段と、この分離手段で分離されたスクランブル化コンテンツストリームおよび第二スクランブル関連情報を記録する記録手段と、この記録手段に記録された第二スクランブル関連情報を読み出し、前記復号鍵を得る復号鍵取得手段と、前記記録手段に記録された前記スクランブル化コンテンツストリームを再生し、前記復号鍵を用いて、前記第一スクランブル関連情報を復号してデスクランブル鍵を得て、前記スクランブル化コンテンツストリームのスクランブルを解除して、映像・音声のコンテンツストリームを復元するコンテンツストリーム復元手段と、を備えることを特徴とする。
【００１７】
すなわち、分離手段で、受信したスクランブル化コンテンツストリームから、第一スクランブル関連情報を復号するための復号鍵を含んだ第二スクランブル関連情報が分離される。そして、記録手段で、第二スクランブル関連情報が分離されたスクランブル化コンテンツストリームと、第二スクランブル関連情報とが記録される。その後、復号鍵取得手段で、記録手段に記録されている第二スクランブル関連情報が読み出され、復号鍵が得られる。続いて、コンテンツストリーム復元手段で、復号鍵によって第一スクランブル関連情報が復号され、デスクランブル鍵が得られ、コンテンツストリームが復元される。
かかる構成によれば、記録手段に記録される際に、スクランブル化コンテンツストリームと第二スクランブル関連情報が分離された状態で記録されるので、ストリーム伝送や、データカルーセル伝送や、ストリーミング伝送や、ダウンロード伝送によるコンテンツのサービスを共通に扱うことができる。
【００１８】
請求項３記載の限定再生コンテンツ再生装置は、請求項２に記載の限定再生コンテンツ再生装置において、前記スクランブル化コンテンツストリームおよび前記第二スクランブル関連情報を前記記録手段に記録する際に、前記スクランブル化コンテンツストリームと前記第二スクランブル関連情報とを別のファイルにすることを特徴とする。
【００１９】
かかる構成によれば、記録手段に記録される際に、スクランブル化コンテンツストリームと第二スクランブル関連情報が別のファイルにされるので、ストリーム伝送や、データカルーセル伝送や、ストリーミング伝送や、ダウンロード伝送によるコンテンツのサービスを共通に扱うことができる。
【００２０】
請求項４記載の限定再生コンテンツ再生装置は、請求項２に記載の限定再生コンテンツ再生装置において、前記スクランブル化コンテンツストリームおよび前記第二スクランブル関連情報を前記記録手段に記録する際に、前記第二スクランブル関連情報を前記スクランブル化コンテンツストリームのヘッダ領域とすることを特徴とする。
【００２１】
かかる構成によれば、記録手段に記録される際に、第二スクランブル関連情報がスクランブル化コンテンツストリームのヘッダ領域とされるので、ストリーム伝送や、データカルーセル伝送や、ストリーミング伝送や、ダウンロード伝送によるコンテンツのサービスを共通に扱うことができる。
【００２２】
請求項５記載の限定再生コンテンツ再生プログラムは、映像・音声等のコンテンツストリームにスクランブルを施し、このスクランブルを解除するためのデスクランブル鍵を伝送する第一スクランブル関連情報およびこの第一スクランブル関連情報を復号するための復号鍵を伝送する第二スクランブル関連情報を多重して送信側で送出されたスクランブル化コンテンツを受信し蓄積した後に、再生時にスクランブルを限定して解除し前記コンテンツストリームを復元する装置を、以下に示す手段として機能させることを特徴とする。当該装置を機能させる手段は、受信した前記スクランブル化コンテンツストリームから前記第二スクランブル関連情報を分離する分離手段、この分離手段で分離されたスクランブル化コンテンツストリームおよび第二スクランブル関連情報を記録する記録手段、この記録手段に記録された第二スクランブル関連情報を読み出し、前記復号鍵を得る復号鍵取得手段、前記記録手段に記録された前記スクランブル化コンテンツストリームを再生し、前記復号鍵を用いて、前記第一スクランブル関連情報を復号してデスクランブル鍵を得て、前記スクランブル化コンテンツストリームのスクランブルを解除して、映像・音声のコンテンツストリームを復元するコンテンツストリーム復元手段、である。
【００２３】
すなわち、分離手段で、受信したスクランブル化コンテンツストリームから、第一スクランブル関連情報を復号するための復号鍵を含んだ第二スクランブル関連情報が分離される。そして、記録手段で、第二スクランブル関連情報が分離されたスクランブル化コンテンツストリームと、第二スクランブル関連情報とが記録される。その後、復号鍵取得手段で、記録手段に記録されている第二スクランブル関連情報が読み出され、復号鍵が得られる。続いて、コンテンツストリーム復元手段で、復号鍵によって第一スクランブル関連情報が復号され、デスクランブル鍵が得られ、コンテンツストリームが復元される。
かかる構成によれば、記録手段に記録される際に、スクランブル化コンテンツストリームと第二スクランブル関連情報が分離された状態で記録されるので、ストリーム伝送や、データカルーセル伝送や、ストリーミング伝送や、ダウンロード伝送によるコンテンツのサービスを共通に扱うことができる。
【００２４】
【発明の実施の形態】
以下、本発明の一実施形態を図面に基づいて詳細に説明する。
この実施の形態では、限定再生コンテンツ再生装置の構成、動作を説明し、さらに当該装置の効果をより明確にするために、従来の装置を引用して説明していくことにする。
【００２５】
（限定再生コンテンツ再生装置の構成１）
図１は限定再生コンテンツ再生装置のブロック図である。この図１に示すように、限定再生コンテンツ再生装置１は、ＥＭＭ信号分離部３と、記録処理部５と、書込部７と、蓄積部９と、読出部１１と、再生部１３と、ＥＣＭ分離部１５と、デスクランブル部１７と、映像・音声デコード部１９と、セキュリティモジュール２１とを備えている。
【００２６】
限定再生コンテンツ再生装置１は、送信側にて映像・音声コンテンツストリームがスクランブル化され、このスクランブル化コンテンツストリームと、スクランブルを解除するためのデスクランブル鍵を伝送する（含む）第一スクランブル関連情報（図中ではＥＣＭと記す）と、この第一スクランブル関連情報が暗号化され、さらに、この暗号化を復号する復号鍵を伝送する（含む）第二スクランブル関連情報（代表的なものとして図中ではＥＭＭと記すが、実際には、ＥＭＭおよびコンテンツ鍵配信用ＥＣＭを含む）とが多重化された信号を受信し、この信号から、コンテンツストリームを再生出力するものである。なお、この限定再生コンテンツ再生装置１では、第二スクランブル関連情報を、通信回線網を介して別途所得し、コンテンツストリームを再生出力することも可能である。
【００２７】
この図１において、細線がコンテンツ（スクランブル化コンテンツストリーム）の経路を示しており、細破線がＥＣＭ信号の経路を示しており、破線がＥＭＭ信号の経路を示している。なお、この実施の形態において、コンテンツ鍵（ｋｃ）を用いる場合には、ＥＭＭ信号はコンテンツ鍵配信用ＥＣＭを含むものである。
【００２８】
ＥＭＭ分離部３は、送信側から送信されたスクランブル化コンテンツストリーム（図１中、ＴＳ）を受信し、このスクランブル化コンテンツストリームに含まれているＥＭＭ（第二スクランブル関連情報）を分離するものである。なお、このＥＭＭ信号分離部３が請求項に記載した分離手段に相当するものである。
【００２９】
記録処理部５は、ＥＭＭ信号分離部３でＥＭＭ（第二スクランブル関連情報）が分離されたＥＭＭ分離スクランブル化コンテンツストリームを蓄積部９に記録処理（蓄積処理）するものである。なお、この記録処理部５が請求項に記載した記録手段に相当するものである。
書込部７は、ＥＭＭ信号分離部３で分離されたＥＭＭ（第二スクランブル関連情報）を蓄積部９に書込処理するものである。なお、この書込部７が請求項に記載した記録手段（分離された第二スクランブル関連情報を処理する）に相当するものである。
【００３０】
蓄積部９は、大容量のハードディスク等によって構成され、記録処理部５および書込部７で処理されたＥＭＭ分離スクランブル化コンテンツストリームおよびＥＭＭ（第二スクランブル関連情報）を蓄積するものである。
読出部１１は、蓄積部９に蓄積されているＥＭＭ（第二スクランブル関連情報）を読み出してセキュリティモジュールに出力するものである。
【００３１】
再生部１３は、蓄積部９に蓄積されているＥＭＭ分離スクランブル化コンテンツストリームを再生するものである。
ＥＣＭ分離部１５は、再生部１３で再生されているＥＭＭ分離スクランブル化コンテンツストリームからＥＣＭ（Ｅｎｔｉｔｌｅｍｅｎｔ　Ｃｏｎｔｒｏｌ　Ｍｅｓｓａｇｅ；第一スクランブル関連情報）を分離すると共に、デスクランブル部１７にスクランブル化コンテンツストリームを出力するものである。
【００３２】
デスクランブル部１７は、セキュリティモジュール２１から得られたデスクランブル鍵によってスクランブル化コンテンツストリームをデスクランブルするものである。
映像・音声デコード部１９は、デスクランブルされたコンテンツストリームをデコード（復元）して、映像・音声として外部に出力するものである。なお、読出部１１、デスクランブル部１７および映像・音声デコード部１９が請求項に記載したコンテンツストリーム復元手段に相当するものである。
【００３３】
セキュリティモジュール２１は、外部から読み出し不可能な記憶部を有するＩＣカード等によって構成され、ＥＣＭ復号部２５とを備えている。
ＥＣＭ復号部２５は、読出部１１で読み出したＥＭＭ信号を復号し、得られた情報を用いて、ＥＣＭ分離部１５で分離されたＥＣＭ信号を復号し、デスクランブル鍵（ｋｓ）を得て、このデスクランブル鍵をデスクランブル部１７に出力するものである。なお、この実施の形態では、ＥＭＭ（第二スクランブル関連情報）を復号して得られる情報は、長時間保持されるワーク鍵ｋｗと、コンテンツ毎に設けられるコンテンツ鍵ｋｃとがある。
【００３４】
（限定再生コンテンツ再生装置の構成２）
図２は、限定再生コンテンツ再生装置の別の構成を示したブロック図であり、図１に示した限定再生コンテンツ再生装置１のセキュリティモジュール２１にＥＭＭ復号・再暗号化部２３を付加したものである。他の構成は、図１に示した限定再生コンテンツ再生装置１の構成と同様であるので、同一の符号を付して、その説明を省略する。
【００３５】
図２に示した限定再生コンテンツ再生装置１Ａのセキュリティモジュール２１ＡのＥＭＭ復号・再暗号化部２３は、ＥＭＭ信号分離部３で分離されたＥＭＭ（第二スクランブル関連情報）を復号し、再暗号化するものである。この再暗号化は、セキュリティモジュール２１内部に備えられている暗号鍵によって行われる。
【００３６】
（限定再生コンテンツ再生装置１の動作）
次に、図３に示すフローチャートを参照して、限定再生コンテンツ再生装置１の動作を説明する（適宜、図１参照）。
まず、受信したスクランブル化コンテンツストリーム（スクランブル化コンテンツ伝送信号）にＥＭＭ信号（以下、ＥＭＭと略記する場合もある）が含まれているか（多重化されているか）どうかが判断される（Ｓ１）。
【００３７】
スクランブル化コンテンツストリームにＥＭＭが含まれていると判断された場合（Ｓ１、Ｙｅｓ）、ＥＭＭ信号分離部３で受信されたスクランブル化コンテンツストリーム（スクランブル化コンテンツ伝送信号）は、ＥＭＭ（第二スクランブル関連情報）とＥＭＭ分離スクランブル化コンテンツストリームとに分離される（Ｓ２）。また、Ｓ１にて、スクランブル化コンテンツストリームにＥＭＭが含まれていると判断されない場合（Ｓ１、Ｎｏ）、通信回線網等を介して、別途ＥＭＭが取得される（Ｓ３）。なお、このステップに関して補足しておくと、ＥＭＭはスクランブル化コンテンツストリームを取得する時点と同時である必要はなく、後から取得してもよい。
【００３８】
そして、まず、ＥＭＭ（スクランブル化コンテンツストリームから分離、または別途取得）が書込部７に入力され、蓄積部９に蓄積される（書き込まれる）（Ｓ４）。また、ＥＭＭが分離されたＥＭＭ分離スクランブル化コンテンツストリームが記録処理部５に入力され、記録処理され、蓄積部９に蓄積される（Ｓ５）。
【００３９】
この後、限定再生コンテンツ再生装置１のユーザが、蓄積部９に蓄積されているＥＭＭ分離スクランブル化コンテンツストリームを再生させるかどうかを判断する、または、限定再生コンテンツ再生装置１の主制御部（図示せず）の制御によってＥＭＭ分離スクランブル化コンテンツストリームを再生させるかどうかが判断される（Ｓ６）。
【００４０】
ＥＭＭ分離スクランブル化コンテンツストリームを再生すると判断されるまで待機され（Ｓ６、Ｎｏ）、ＥＭＭ分離スクランブル化コンテンツストリームを再生すると判断された場合（Ｓ６、Ｙｅｓ）には、まず、蓄積部９に蓄積されているＥＭＭが処理される（Ｓ７）。つまり、読出部１１でＥＭＭを読み出してセキュリティモジュール２１のＥＣＭ復号部２５に出力される。
【００４１】
つぎに、再生部１３でＥＭＭ分離スクランブル化コンテンツストリームが、再生され（Ｓ８）、ＥＣＭ分離部１５で、ＥＭＭ分離スクランブル化コンテンツストリームからＥＣＭが分離される（Ｓ９）。このＥＣＭがＥＣＭ復号部２５へ出力される（Ｓ１０）。
【００４２】
ＥＣＭ復号部２５にて、まず、セキュリティモジュール２１内部に備えられる暗号鍵によってＥＭＭが復号され、ワーク鍵ｋｗおよびコンテンツ鍵ｋｃが取得され、これらによってＥＣＭが復号されデスクランブル鍵ｋｓが取得され、デスクランブル部１７に出力される（Ｓ１１）。
そして、デスクランブル部１７で暗号化コンテンツがデスクランブル鍵ｋｓでデスクランブルされ（Ｓ１２）、映像・音声デコード部１９でデコード（復元）され、映像・音声として出力される（Ｓ１３）。
【００４３】
（限定再生コンテンツ再生装置１Ａの動作）
次に、図４に示すフローチャートを参照して、限定再生コンテンツ再生装置１Ａの動作を説明する（適宜、図２参照）。
まず、受信したスクランブル化コンテンツストリーム（スクランブル化コンテンツ伝送信号）にＥＭＭが含まれているか（多重化されているか）どうかが判断される（Ｓ２１）。
【００４４】
スクランブル化コンテンツストリームにＥＭＭが含まれていると判断された場合（Ｓ２１、Ｙｅｓ）、ＥＭＭ信号分離部３で受信されたスクランブル化コンテンツストリーム（スクランブル化コンテンツ伝送信号）は、ＥＭＭ（第二スクランブル関連情報）とＥＭＭ分離スクランブル化コンテンツストリームとに分離される（Ｓ２２）。また、Ｓ２１にて、スクランブル化コンテンツストリームにＥＭＭが含まれていると判断されない場合（Ｓ２１、Ｎｏ）、通信回線網等を介して、別途ＥＭＭが取得される（Ｓ２３）。なお、このステップに関して補足しておくと、ＥＭＭはスクランブル化コンテンツストリームを取得する時点と同時である必要はなく、後から取得してもよい。
【００４５】
そして、まず、ＥＭＭ（スクランブル化コンテンツストリームから分離、または別途取得）がセキュリティモジュール２１ＡのＥＭＭ復号・再暗号化部２３に入力され、復号後、再暗号化（再暗号化ワーク鍵ｋｗおよび再暗号化コンテンツ鍵ｋｃ）され（Ｓ２４）、さらに書込部７に入力され、蓄積部９に蓄積される（書き込まれる）（Ｓ２５）。また、ＥＭＭが分離されたＥＭＭ分離スクランブル化コンテンツストリームが記録処理部５に入力され、記録処理され、蓄積部９に蓄積される（Ｓ２６）。
【００４６】
この後、限定再生コンテンツ再生装置１のユーザが、蓄積部９に蓄積されているＥＭＭ分離スクランブル化コンテンツストリームを再生させるかどうかを判断する、または、限定再生コンテンツ再生装置１の主制御部（図示せず）の制御によってＥＭＭ分離スクランブル化コンテンツストリームを再生させるかどうかが判断される（Ｓ２７）。
【００４７】
ＥＭＭ分離スクランブル化コンテンツストリームを再生すると判断されるまで待機され（Ｓ２７、Ｎｏ）、ＥＭＭ分離スクランブル化コンテンツストリームを再生すると判断された場合（Ｓ２７、Ｙｅｓ）には、まず、蓄積部９に蓄積されているＥＭＭ（再暗号化ワーク鍵ｋｗおよび再暗号化コンテンツ鍵ｋｃ）が処理される（Ｓ２８）。つまり、つまり、読出部１１でＥＭＭを読み出してセキュリティモジュール２１ＡのＥＣＭ復号部２５に出力される。
【００４８】
つぎに、再生部１３でＥＭＭ分離スクランブル化コンテンツストリームが、再生され（Ｓ２９）、ＥＣＭ分離部１５で、ＥＭＭ分離スクランブル化コンテンツストリームからＥＣＭが分離される（Ｓ３０）。このＥＣＭがＥＣＭ復号部２５へ出力される（Ｓ３１）。
【００４９】
ＥＣＭ復号部２５にて、まず、セキュリティモジュール２１Ａ内部に備えられる暗号鍵によってＥＭＭが復号され、ワーク鍵ｋｗおよびコンテンツ鍵ｋｃが取得され、これらによってＥＣＭが復号されデスクランブル鍵ｋｓが取得され、デスクランブル部１７に出力される（Ｓ３２）。
そして、デスクランブル部１７で暗号化コンテンツがデスクランブル鍵ｋｓでデスクランブルされ（Ｓ３３）、映像・音声デコード部１９でデコード（復元）され、映像・音声として出力される（Ｓ３４）。
【００５０】
（従来の限定再生コンテンツ再生装置との比較）
ここで、図３、図４を参照して、従来の限定再生コンテンツ再生装置を説明し、この従来の限定再生コンテンツ再生装置と、本発明の一実施の形態である限定再生コンテンツ再生装置１との違い（限定再生コンテンツ再生装置１の効果）を明確にする。
【００５１】
図３に示すように、従来の限定再生コンテンツ再生装置１０１は、記録処理部と、蓄積部と、再生部と、ＥＭＭ・ＥＣＭ信号分離部１０３と、セキュリティモジュールと、デスクランブル部と、映像・音声デコード部とを備えている。限定再生コンテンツ再生装置１と同じ構成は同一の名称（符号を付さず）とし、その説明を省略する。ＥＭＭ・ＥＣＭ信号分離部１０３は、スクランブル化コンテンツストリームに多重されているＥＭＭ（コンテンツ鍵配付用ＥＣＭを含む）およびＥＣＭを分離するものである。
【００５２】
つまり、この従来の限定再生コンテンツ再生装置１０１では、スクランブル化コンテンツストリームをデスクランブルするために必要な情報であるＥＣＭやＥＭＭ等（総じて、スクランブル関連情報と称す）を蓄積部に蓄積する際に、ＴＳに多重したまま蓄積していた。
【００５３】
また、図４に示すように、従来の限定再生コンテンツ再生装置１０５は、ＥＭＭ信号分離部と、ＥＭＭ信号再多重部１０７と、記録処理部と、蓄積部と、再生部と、ＥＭＭ・ＥＣＭ信号分離部と、デスクランブル部と、映像・音声デコード部と、セキュリティモジュールとを備えている。限定再生コンテンツ再生装置１または従来の限定再生コンテンツ再生装置１０１と同じ構成は同一の名称（符号を付さず）とし、その説明を省略する。ＥＭＭ信号再多重部１０７は、セキュリティモジュールで復号され再暗号化された再暗号化ＥＭＭ信号（コンテンツ鍵配付用ＥＣＭを含む）を再びスクランブル化コンテンツストリームに多重するものである。
【００５４】
つまり、この従来の限定再生コンテンツ再生装置１０５は、ワーク鍵ｋｗやコンテンツ鍵ｋｃ等の一部の鍵信号を一旦復号し再暗号化するものであり、これらの鍵情報を含むスクランブル関連情報をセキュリティモジュールにおいて復号し、再暗号化した上でＴＳに多重された状態に戻して、蓄積部に蓄積していた。
【００５５】
これに対し、図１に示した本発明の一実施の形態である限定再生コンテンツ再生装置１は、スクランブル関連情報のうち、ＥＣＭ（第一のスクランブル関連情報）はＴＳ（ＥＣＭ多重暗号化コンテンツストリーム）に多重化されたまま、蓄積部９に蓄積される。一方、ＥＭＭ等のＥＣＭを解除（復号）するために必要となるスクランブル関連情報（第二のスクランブル関連情報）は、受信したＴＳから分離した後、書込部７によって蓄積部９に蓄積される（図１中、経路「α」）。
また、図に示した限定再生コンテンツ再生装置１Ｂでは、ワーク鍵ｋｗやコンテンツ鍵ｋｃ等の一部の鍵信号を一旦復号し再暗号化する（図２中、経路「β」）。つまり、ＥＭＭ等のＥＣＭを解除（復号）するために必要となるスクランブル関連情報を、受信したＴＳから分離した後、セキュリティモジュール２１Ａに入力し、このセキュリティモジュール２１Ａ内で復号、再暗号化をした後で蓄積部９に蓄積される。
【００５６】
なお、ＥＣＭを解除するために必要となるＥＭＭ等のスクランブル関連情報はＥＣＭが多重化されたコンテンツ本体（ＥＣＭ多重暗号化コンテンツ）と容易に分離可能な形態で蓄積部９に蓄積される。具体的には、以下に示す２つの方法があげられる。一つ目の方法は、ＥＭＭ等のスクランブル関連情報を別オブジェクト（別ファイル）として蓄積部９に蓄積する方法であり、この時、相互のオブジェクト間には何らかの関連づけが必要となる。例えば、拡張子の異なる同じファイル名を使用する、または、１つのディレクトリ（フォルダ）にまとめる、或いは、ＥＭＭ等のスクランブル関連情報のオブジェクトにコンテンツ本体のオブジェクトの情報を記述しておく等の関連づけがある。また、２つ目の方法は、ＥＭＭ等のスクランブル関連情報をヘッダ領域に、コンテンツ本体をペイロード領域にそれぞれ容易に分離可能である一つのファイルにして蓄積部９に蓄積する方法である。
【００５７】
ここで、図１に示した限定再生コンテンツ再生装置１の特有の効果についてまとめて記述する。ＥＣＭをＥＭＭ分離タイムスタンプ付スクランブル化コンテンツファイルに多重したまま、蓄積部９に蓄積するので、再生部１３にてスクランブル化コンテンツストリームを再生する際に、スクランブルを解除するために必要なＥＣＭ（スクランブル化コンテンツストリームのスクランブルを解除するためのスクランブル鍵ｋｓが暗号化されている）を必要な時点で取得することができる。一方、ＥＣＭを解除するために必要となるＥＭＭ等のスクランブル関連情報は、スクランブル化コンテンツストリーム本体と容易に分離可能な形態で蓄積されているため、スクランブル化コンテンツストリームの再生を開始するのに先立って、セキュリティモジュール２１内においてワーク鍵ｋｗやコンテンツ鍵ｋｃ等の暗号鍵を取得することができる。なお、従来では、スクランブル化コンテンツストリームの再生を開始してからでないと、セキュリティモジュール２１内でワーク鍵ｋｗやコンテンツ鍵ｋｃ等の暗号鍵を取得することができなかった。
【００５８】
図２に示した限定再生コンテンツ再生装置１Ａでは、セキュリティモジュール２１ＡのＥＭＭ復号・再暗号化部２３でＥＭＭが復号され、再暗号化された後、蓄積部９に蓄積されるので、ＥＭＭの秘匿性をより一層高めることができる。
【００５９】
また、ＥＣＭを解除するために必要となるＥＭＭ等のスクランブル関連情報を、放送波、或いは、インターネット等の通信回線経由で暗号化コンテンツの伝送経路と異なる伝送経路で伝送して、当該スクランブル化コンテンツストリームの再生を可能にする限定再生コンテンツシステムが想定できるが、このような場合に、スクランブル関連情報をスクランブル化コンテンツストリーム送信後に追加したり、書き換えたりするのに、この限定再生コンテンツ再生装置１は適している。
【００６０】
さらに、ＥＣＭを解除するために必要となるＥＭＭ等のスクランブル関連情報は、ＥＣＭとは異なり、１つのコンテンツ（スクランブル化コンテンツストリーム）に１つのＥＭＭが対応している。それゆえ、ＥＭＭ分離タイムスタンプ付スクランブル化コンテンツファイルに多重して蓄積する従来の方法では、１つのコンテンツに対し、適当な時間間隔で複数多重したものを蓄積部に蓄積しなければならないが、この限定再生コンテンツ再生装置１では、１つのコンテンツに対し、１つのスクランブル関連情報のみを蓄積部９に蓄積すればよいので、蓄積容量を節約することができる。
【００６１】
以上、一実施形態に基づいて本発明を説明したが、本発明はこれに限定されるものではない。
例えば、限定再生コンテンツ再生装置１（１Ａ）の各構成を各過程（ステップ）とみなした限定再生コンテンツ再生方法と捉えることも可能である。この場合、限定再生コンテンツ再生装置１と同様の効果が得られる。また、限定再生コンテンツ再生装置１の各構成を一般的なコンピュータ言語で記述したプログラム（限定再生コンテンツ再生プログラム）とみなすことも可能である。この場合も限定再生コンテンツ再生装置１と同様の効果が得られる。
【００６２】
【発明の効果】
請求項１、２、５記載の発明によれば、受信したスクランブル化コンテンツストリームから、第一スクランブル関連情報を復号するための復号鍵を含んだ第二スクランブル関連情報が分離され、スクランブル化コンテンツストリームと、第二スクランブル関連情報とが記録される。記録されている第二スクランブル関連情報が読み出され、復号鍵が得られる。得られた復号鍵によって第一スクランブル関連情報が復号され、デスクランブル鍵が得られ、コンテンツストリームが復元される。このため、第二スクランブル関連情報はスクランブル化コンテンツストリームの再生開始に先立って取り扱うことができ、第一スクランブル関連情報は必要な時点で時々刻々得ることができる。つまり、スクランブルされたコンテンツとスクランブルを解除するための情報とを別々に取り扱うことができる。また、記録手段に記録される際に、スクランブル化コンテンツストリームと第二スクランブル関連情報が分離された状態で記録されるので、ストリーム伝送や、データカルーセル伝送や、ストリーミング伝送や、ダウンロード伝送によるコンテンツのサービスを共通に扱うことができる。
【００６３】
請求項３記載の発明によれば、スクランブル化コンテンツストリームと第二スクランブル関連情報が別のファイルにされるので、ストリーム伝送や、データカルーセル伝送や、ストリーミング伝送や、ダウンロード伝送によるコンテンツのサービスを共通に扱うことができる。
【００６４】
請求項４記載の発明によれば、第二スクランブル関連情報がスクランブル化コンテンツストリームのヘッダ領域とされるので、ストリーム伝送や、データカルーセル伝送や、ストリーミング伝送や、ダウンロード伝送によるコンテンツのサービスを共通に扱うことができる。
【図面の簡単な説明】
【図１】本発明による一実施の形態である限定再生コンテンツ再生装置のブッロク図である。
【図２】本発明による他の実施の形態である限定再生コンテンツ再生装置のブッロク図である。
【図３】図１に示した限定再生コンテンツ再生装置の動作を説明したフローチャートである。
【図４】図２に示した限定再生コンテンツ再生装置の動作を説明したフローチャートである。
【図５】図１に示した限定再生コンテンツ再生装置で得られる効果を比較するために図示した従来装置のブロック図である。
【図６】図２に示した限定再生コンテンツ再生装置で得られる効果を比較するために図示した従来装置のブロック図である。
【符号の説明】
１、１Ａ　限定再生コンテンツ再生装置
３　ＥＭＭ分離部
５　記録処理部
７　書込部
９　蓄積部
１１　読出部
１３　再生部
１５　ＥＣＭ分離部
１７　デスクランブル部
１９　映像・音声デコード部
２１　セキュリティモジュール
２３　ＥＭＭ復号・再暗号化部
２５　ＥＣＭ復号部
【図１】
2004048268.tif 000003
【図２】
2004048268.tif 000004
【図３】
2004048268.tif 000005
【図４】
2004048268.tif 000006
【図５】
2004048268.tif 000007
【図６】
2004048268.tif 000008